【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
純粋な、部分的に置換されたか、またはドープされた、公称上の式ＡＢ（ＸＯ４）Ｈをもつリチウムイオン可逆電極物質であって、式中、
Ａはリチウムであり、それは前記Ａの２０％原子未満で表される別のアルカリ金属で部分的に置換されることができ、
Ｂは、Ｆｅ、Ｍｎ、Ｎｉおよびその任意の混合物からなる群より選ばれる、＋２の酸化レベルの主たる酸化還元金属であり、それは、＋１および＋５の間の酸化レベルでの１種またはそれよりも多くの追加の金属によって部分的に置換されることができ、および前記主たる＋２の酸化還元金属の０を包含する３５％原子未満で表わされ、
ＸＯ４は、ＸがＰ、Ｓ、Ｖ、Ｓｉ、Ｎｂ、Ｍｏおよびその任意の組合せからなる群より選ばれる任意のオキシアニオンであり、および
Ｈは、ＸＯ４オキシアニオンの０を包含する３５％原子未満を表すフッ化物、水酸化物または塩素アニオンであり、
前記物質には、Ｌｉ３ＰＯ４、Ｌｉ４Ｐ２Ｏ７、Ｌｉ８Ｐ８Ｏ２４、Ｌｉ６Ｐ６Ｏ１８、ＬｉＦｅＰ２Ｏ７、ＬｉＦｅ５Ｏ８、およびＦｅ２Ｏ３からなる群より選ばれる少なくとも１種の化合物のおよそ２％（重量／重量）未満のものが包含される、電極物質。
【請求項２】
前記物質には、Ｌｉ３ＰＯ４のおよそ１％（重量／重量）未満のものが包含される、請求項１に記載の電極物質。
【請求項３】
前記物質には、Ｌｉ４Ｐ２Ｏ７のおよそ１．７％（重量／重量）未満のものが包含される、請求項１に記載の電極物質。
【請求項４】
前記物質には、Ｌｉ４Ｐ２Ｏ７のおよそ１％（重量／重量）未満のものが包含される、請求項１に記載の電極物質。
【請求項５】
純粋な、部分的に置換されたか、またはドープされた、公称上の式ＡＢ（ＸＯ４）Ｈをもつリチウムイオン可逆電極物質であって、式中、
Ａはリチウムであり、それは前記Ａの２０％原子未満で表される別のアルカリ金属で部分的に置換されることができ、
Ｂは、Ｆｅ、Ｍｎ、Ｎｉおよびその任意の混合物からなる群より選ばれる、＋２の酸化レベルの主たる酸化還元金属であり、それは、＋１および＋５の間の酸化レベルでの１種またはそれよりも多くの追加の金属によって部分的に置換されることができ、および前記主たる＋２の酸化還元金属の０を包含する３５％原子未満で表わされ、
ＸＯ４は、ＸがＰ、Ｓ、Ｖ、Ｓｉ、Ｎｂ、Ｍｏおよびその任意の組合せからなる群より選ばれる任意のオキシアニオンであり、および
Ｈは、ＸＯ４オキシアニオンの０を包含する３５％原子未満を表すフッ化物、水酸化物または塩素アニオンであり、
前記物質には、およそ１５００ｐｐｍ未満のイオウ含量のものが包含される、電極物質。
【請求項６】
前記物質には、およそ５００ｐｐｍ未満のイオウ含量のものが包含される、請求項５に記載の電極物質。
【請求項７】
前記物質には、およそ１００ｐｐｍ未満のイオウ含量のものが包含される、請求項５に記載の電極物質。
【請求項８】
公称上の式ＡＢ（ＸＯ４）Ｈをもつ粒子およびモリブデン（Ｍｏ）またはクロム（Ｃｒ）を包含する生成物を含む複合体リチウムイオン可逆電極物質であって、式中、
Ａはリチウムであり、それは前記Ａの２０％原子未満で表される別のアルカリ金属で部分的に置換されることができ、
Ｂは、Ｆｅ、Ｍｎ、Ｎｉおよびその任意の混合物からなる群より選ばれる、＋２の酸化レベルの主たる酸化還元金属であり、それは、＋１および＋５の間の酸化レベルでの１種またはそれよりも多くの追加の金属によって部分的に置換されることができ、および前記主たる＋２の酸化還元金属の０を包含する３５％原子未満で表わされ、
ＸＯ４は、ＸがＰ、Ｓ、Ｖ、Ｓｉ、Ｎｂ、Ｍｏおよびその任意の組合せからなる群より選ばれる任意のオキシアニオンであり、および
Ｈは、ＰＯ４の０を包含する３５％原子未満を表すフッ化物、水酸化物または塩素アニオンである、電極物質。
【請求項９】
Ｍｏを包含する前記生成物の少なくともおよそ１％（重量／重量）が含まれる、請求項８に記載の複合体物質。
【請求項１０】
Ｍｏを包含する前記生成物の少なくともおよそ２％（重量／重量）が含まれる、請求項８に記載の複合体物質。
【請求項１１】
Ｃｒを包含する前記生成物の少なくともおよそ２％（重量／重量）が含まれる、請求項８に記載の複合体物質。
【請求項１２】
Ｃｒを包含する前記生成物の少なくともおよそ２．５％（重量／重量）が含まれる、請求項８に記載の複合体物質。
【請求項１３】
純粋な、部分的に置換されたか、またはドープされたリチウムイオン可逆電極物質であり、ミクロンサイズの粒子およびサブミクロンサイズの粒子を含み、前記ミクロンサイズの粒子およびサブミクロンサイズの粒子が公称上の式ＡＢ（ＸＯ４）Ｈをもち、式中、
Ａはリチウムであり、それは前記Ａの２０％原子未満で表される別のアルカリ金属で部分的に置換されることができ、
Ｂは、Ｆｅ、Ｍｎ、Ｎｉおよびその任意の混合物からなる群より選ばれる、＋２の酸化レベルの主たる酸化還元金属であり、それは、＋１および＋５の間の酸化レベルでの１種またはそれよりも多くの追加の金属によって部分的に置換されることができ、および前記主たる＋２の酸化還元金属の０を包含する３５％原子未満で表わされ、
ＸＯ４は、ＸがＰ、Ｓ、Ｖ、Ｓｉ、Ｎｂ、Ｍｏおよびその任意の組合せからなる群より選ばれる任意のオキシアニオンであり、および
Ｈは、ＸＯ４オキシアニオンの０を包含する３５％原子未満を表すフッ化物、水酸化物または塩素アニオンである、電極物質。
【請求項１４】
前記ミクロンサイズの粒子は複数のミクロンサイズを含む粒径分布をもつ、請求項１３に記載の電極物質。
【請求項１５】
前記サブミクロンサイズの粒子は複数のサブミクロンサイズを含む粒径分布をもつ、請求項１３または１４に記載の電極物質。
【請求項１６】
前記物質はサブミクロンサイズの粒子の４０％までを含む粒径分布をもつ、請求項１３に記載の電極物質。
【請求項１７】
前記粒子はおよそ１．５μｍの平均サイズをもつ、請求項１３〜１６のいずれか一項に記載の電極物質。
【請求項１８】
前記粒子はおよそ１μｍからおよそ５μｍまでの平均サイズをもつ、請求項１３〜１６のいずれか一項に記載の電極物質。
【請求項１９】
純粋な、部分的に置換されたか、またはドープされた、公称上の式ＡＢ（ＸＯ４）Ｈをもつリチウムイオン可逆電極物質であって、式中、
Ａはリチウムであり、それは前記Ａの２０％原子未満で表される別のアルカリ金属で部分的に置換されることができ、
Ｂは、Ｆｅ、Ｍｎ、および酸化レベル＋２の別の金属を包含する＋２の酸化レベルの酸化還元金属の混合物であり、
ＸＯ４は、ＸがＰ、Ｓ、Ｖ、Ｓｉ、Ｎｂ、Ｍｏ、およびその任意の組合せからなる群より選ばれる任意のオキシアニオンであり、および
Ｈは、ＸＯ４の０を包含する３５％原子未満を表すフッ化物、水酸化物または塩素アニオンである、電極物質。
【請求項２０】
酸化レベル＋２の他の金属はＭｇである、請求項１９に記載の電極物質。
【請求項２１】
およそ２％のＭｇ（重量／Ｂの合計重量）のものが包含される、請求項２０に記載の電極物質。
【請求項２２】
少なくともおよそ７０％のＦｅ（重量／Ｂの合計重量）のものが包含される、請求項１９〜２１のいずれか一項に記載の電極物質。
【請求項２３】
少なくともおよそ２０％のＭｎ（重量／Ｂの合計重量）のものが包含される、請求項１９〜２２のいずれか一項に記載の電極物質。
【請求項２４】
Ｂは、Ｆｅ、Ｍｎ、Ｎｉおよびその任意の混合物からなる群より選ばれる、＋２の酸化レベルの主たる酸化還元金属であり、＋１および＋５の間の酸化レベルでの１種またはそれよりも多くの追加の金属によって部分的に置換されており、および前記主たる＋２の酸化還元金属の０を包含する３５％原子未満で表わされる、請求項１〜１８のいずれか一項に記載の電極物質。
【請求項２５】
Ｂは、Ｆｅ、Ｍｎ、Ｎｉおよびその任意の混合物からなる群より選ばれる、＋２の酸化レベルの主たる酸化還元金属である、請求項１〜１８のいずれか一項に記載の電極物質。
【請求項２６】
Ａは、リチウムであり、前記Ａの２０％原子未満で表される別のアルカリ金属で部分的に置換されている、請求項１〜２５のいずれか一項に記載の電極物質。
【請求項２７】
Ａはリチウムである、請求項１〜２５のいずれか一項に記載の電極物質。
【請求項２８】
ＸＯ４はＰＯ４である、請求項１〜２７のいずれか一項に記載の電極物質。
【請求項２９】
公称上の式ＬｉＦｅＰＯ４をもつ、請求項１〜１８のいずれか一項に記載の電極物質。
【請求項３０】
純粋な、部分的に置換されたか、またはドープされた、公称上の式ＬｉＢ（ＰＯ４）をもち、Ｂは、Ｆｅ、ＭｎおよびＭｇを包含する＋２の酸化レベルの酸化還元金属の混合物である、リチウムイオン可逆電極物質。
【請求項３１】
熱分解炭素堆積物をもつ、請求項１〜３０のいずれか一項に記載の電極物質。
【請求項３２】
請求項１〜３１のいずれか一項に記載の電極物質を含むカソード電極。